(57)【要約】【課題】リード線を用いることなくアース用ソケットの導電部材を器具本体に容易に電気的に接続することのできる照明器具を提供する。【解決手段】ＬＥＤランプ５の接地端子５２Ａに接触導通する導電板４と、導電板４を収納するアース用ソケット１と、アース用ソケット１が取り付けられる取付部６０を有する器具本体６とを備え、取付部６０には、器具本体６と電気的に接続される接地用ねじ６３をねじ止めし、導電板４に、アース用ソケット１から外部に露出する第１接触片４２を設け、第１接触片４２は、アース用ソケット１を取付部６０に取り付けると接地用ねじ６３に圧接する。【選択図】図１
2013254719.tif 000002
【特許請求の範囲】
【請求項１】
ランプのアース用口金に設けられた接地端子に接触導通する導電部材と、前記導電部材を内部に収納するアース用ソケットと、前記アース用ソケットが取り付けられる取付部を有する器具本体とを備え、前記取付部には、前記器具本体と電気的に接続される接地用ねじをねじ止めし、前記導電部材に、前記アース用ソケットから外部に露出する接触片を設け、前記接触片は、前記アース用ソケットを前記取付部に取り付けると前記接地用ねじに圧接することを特徴とする照明器具。
【請求項２】
前記接地用ねじを、前記取付部における前記アース用ソケットの取付位置の後方にねじ止めすることを特徴とする請求項１記載の照明器具。
【請求項３】
前記接地用ねじを、前記取付部における前記アース用ソケットの取付位置の側方にねじ止めすることを特徴とする請求項１記載の照明器具。
【請求項４】
前記接地用ねじを前記取付部に複数ねじ止めし、前記導電部材に、前記各接地用ねじにそれぞれ圧接する複数の前記接触片を設けることを特徴とする請求項１記載の照明器具。
【請求項５】
前記取付部に、前記取付部の内側に向かって突出する立片を設け、前記接地用ねじを前記立片にねじ止めすることを特徴とする請求項１記載の照明器具。
【請求項６】
前記アース用ソケットに、前記アース用ソケットを前記取付部に取り付けると前記接地用ねじの一部を案内する凹部を設け、前記接触片は、前記凹部内で前記接地用ねじに圧接することを特徴とする請求項１記載の照明器具。
【発明の詳細な説明】
【技術分野】
【０００１】
本発明は、直管形のランプを光源とする照明器具に関する。
【背景技術】
【０００２】
近年、ＬＥＤ（発光ダイオード）の発光効率の上昇に伴い、低消費電力かつ長寿命であるＬＥＤを照明装置の光源として用いることが可能となっている。例えば、特許文献１には、直管形の外管体の内部にＬＥＤ基板が保持され、外管体の両端に既存の直管形蛍光灯の取付器具に装着されるべき２つの口金を備えた照明装置（ＬＥＤランプ）が開示されている。
【先行技術文献】
【特許文献】
【０００３】
【特許文献１】特開２００９−４３４４７号公報
【発明の概要】
【発明が解決しようとする課題】
【０００４】
ところで、直管形のＬＥＤランプには、片側の口金に接地端子が設けられたものがある。例えば、日本電球工業会規格で規格化されているJEL801「Ｌ形ピン口金GX16t-5付直管形ＬＥＤランプシステム（一般照明用）」におけるＬＥＤランプは、一方の口金に給電用の１対の端子ピンが設けられ、他方の口金には接地用の端子ピンが設けられている。そして、このようなＬＥＤランプを光源とする照明器具では、図１０に示すように、給電用の口金が装着される給電用のソケット（図示せず）と、アース用の口金が装着されるアース用ソケット１００とが器具本体（図示せず）に取り付けられている。
【０００５】
ここで、アース用ソケット１００は、その内部にＬＥＤランプのランプピン（図示せず）が接触接続する導電板１０１を備えており、この導電板１０１を器具本体に接続して接地する必要がある。アース用ソケット１００には、リード線１０２の一端を挿入可能な電線挿入孔１００Ａが設けられており、導電板１０２には、電線挿入孔１００Ａに挿入されたリード線１０２の一端が接続される速結端子部（図示せず）が設けられている。また、リード線１０２の他端には、器具本体１０１にねじ止めするための圧着端子１０２Ａが設けられている。
【０００６】
以下、アース用ソケット１００の導電板１０１を器具本体に接続する方法について説明する。先ず、アース用ソケット１００の電線挿入孔１００Ａにリード線１０２の一端を挿入し、導電板１０１の速結端子部にリード線１０２の一端を接続する。次に、リード線１０２の他端に設けられた圧着端子１０２Ａを器具本体の何れかの面に当接させ、当該圧着端子１０２Ａを器具本体にねじ止めする。これにより、アース用ソケット１００の導電板１０１を器具本体に電気的に接続して接地することができる。
【０００７】
しかしながら、上記のようにアース用ソケット１００の導電板１０１を器具本体に接続する場合には、リード線１０２を用いて器具本体にねじ止めする作業を行う必要がある。この場合、リード線１０２の先端に圧着端子１０２Ａを設ける加工が必要となり、ねじ止めの際にもねじの緩みに配慮せねばならず、更にリード線１０２の引き回しにも手間がかかり、組立作業（結線作業）が煩わしいという問題があった。
【０００８】
本発明は、上記の点に鑑みて為されたもので、リード線を用いることなくアース用ソケットの導電部材を器具本体に容易に電気的に接続することのできる照明器具を提供することを目的とする。
【課題を解決するための手段】
【０００９】
本発明の照明器具は、ランプのアース用口金に設けられた接地端子に接触導通する導電部材と、前記導電部材を内部に収納するアース用ソケットと、前記アース用ソケットが取り付けられる取付部を有する器具本体とを備え、前記取付部には、前記器具本体と電気的に接続される接地用ねじをねじ止めし、前記導電部材に、前記アース用ソケットから外部に露出する接触片を設け、前記接触片は、前記アース用ソケットを前記取付部に取り付けると前記接地用ねじに圧接することを特徴とする。
【００１０】
この照明器具において、前記接地用ねじを、前記取付部における前記アース用ソケットの取付位置の後方にねじ止めすることが好ましい。
【００１１】
この照明器具において、前記接地用ねじを、前記取付部における前記アース用ソケットの取付位置の側方にねじ止めすることが好ましい。
【００１２】
この照明器具において、前記接地用ねじを前記取付部に複数ねじ止めし、前記導電部材に、前記各接地用ねじにそれぞれ圧接する複数の前記接触片を設けることが好ましい。
【００１３】
この照明器具において、前記取付部に、前記取付部の内側に向かって突出する立片を設け、前記接地用ねじを前記立片にねじ止めすることが好ましい。
【００１４】
この照明器具において、前記アース用ソケットに、前記アース用ソケットを前記取付部に取り付けると前記接地用ねじの一部を案内する凹部を設け、前記接触片は、前記凹部内で前記接地用ねじに圧接することが好ましい。
【発明の効果】
【００１５】
本発明は、アース用ソケットを器具本体の取付部に取り付ける際に、アース用ソケットから露出した接触片が、器具本体と電気的に接続された接地用ねじに圧接する。したがって、本発明では、アース用ソケットを器具本体の取付部に取り付けるだけで、リード線を用いることなくアース用ソケットの導電部材を器具本体に容易に電気的に接続することができる。
【図面の簡単な説明】
【００１６】
【図１】本発明に係る照明器具の実施形態１を示す図で、（ａ）は取付台の斜視図で、（ｂ）はアース用ソケットを取付台に取り付けた状態の斜視図で、（ｃ）はアース用ソケットを取付台に取り付けた状態の側面図である。
【図２】同上の照明器具のアース用ソケットを示す図で、（ａ）は分解斜視図で、（ｂ）は完成品の斜視図である。
【図３】同上の照明器具におけるＬＥＤランプの説明図で、（ａ）は全体概略図で、（ｂ）はアース用口金の要部斜視図である。
【図４】本発明に係る照明器具の実施形態２を示す図で、（ａ）は取付台の斜視図で、（ｂ）はアース用ソケットを取付台に取り付けた状態の前面図である。
【図５】同上の照明器具のアース用ソケットを示す図で、（ａ）は分解斜視図で、（ｂ）は完成品の斜視図である。
【図６】本発明に係る照明器具の実施形態３を示す図で、（ａ），（ｂ）は何れも取付台の斜視図で、(ｃ)はアース用ソケットを取付台に取り付けた状態の側面図である。
【図７】同上の照明器具のアース用ソケットを示す図で、（ａ）は分解斜視図で、（ｂ）は完成品の斜視図である。
【図８】同上の照明器具の他の構成を示す図で、（ａ）は取付台の斜視図で、（ｂ）はアース用ソケットを取付台に取り付けた状態の斜視図である。
【図９】同上の照明器具の他の構成におけるアース用ソケットを示す図で、（ａ）は分解斜視図で、（ｂ）は完成品の斜視図である。
【図１０】従来の照明器具におけるアース用ソケットを示す斜視図である。
【発明を実施するための形態】
【００１７】
（実施形態１）
以下、本発明に係る照明器具の実施形態１について図面を用いて説明する。なお、以下の説明では、図１（ａ）に示す矢印により、上下左右方向及び前後方向を定める。本実施形態は、図１〜３に示すように、直管形のＬＥＤランプ５を装着可能なアース用ソケット１及び給電用ソケット（図示せず）と、各ソケットを取り付ける器具本体６とを備える。なお、給電用ソケットについては従来周知であるので、ここでは詳細な説明を省略する。
【００１８】
アース用ソケット１は、外郭をＵ字状に形成した箱体から成り、図２（ａ），（ｂ）に示すように、後面を開口した樹脂製のカバー２と、前面を開口した樹脂製のボディ３とを組み立てて構成される。
【００１９】
カバー２は、図１（ｂ），図２に示すように、半円板状の前壁２０と、前壁２０の上部を除く後面周縁より後向きに突出する側壁２１と、前壁２０の上端から前方及び左右側方へ突出するフランジ部２２とを一体に形成して成る。前壁２０及び側壁２１の下部には、上下方向に沿ったピン挿入孔２３を開口している。このピン挿入孔２３には、後述するＬＥＤランプ５の接地端子５２Ａを上下方向に沿ってスライド自在に挿入することができる。
【００２０】
側壁２１の左上側面及び右上側面には、それぞれ左右外向きに突出する撓み自在な係止片２４を一体に形成している。これら係止片２４とフランジ部２２との間で、後述する取付部６０の各取付片６２を挟持することで、アース用ソケット１を取付部６０に取り付けることができる。また、前壁２０の左右両端には、後向きに窪んだ平面視円形状の凹所２５をそれぞれ設けている。各凹所２５の底面には、後述するボディ３の各突起３１を挿入するための孔（図示せず）を貫設している。
【００２１】
ボディ３は、図２（ａ）に示すように、半円板状の主部３０と、主部３０の前面より前向きに突出する１対（図示では１つ）の突起３１と、主部３０前面の周縁近傍より前向きに突出する突壁３２とを一体に形成して成る。主部３０上部には、後述する導電板４の第１接触片４２を通すための矩形状の通孔３３を設けている。カバー２とボディ３とを結合するには、先ず、ボディ３の各突起３１をカバー２の各凹所２５の孔に挿入する。そして、各凹所２５内において各孔から突出する各突起３１の先端部を潰してかしめることで、カバー２とボディ３とが結合する。
【００２２】
導電板４（導電部材）は、図２（ａ）に示すように、弾性を有する金属板から成り、後述する接地端子５２Ａを挟持する１対の挟持片４０と、各挟持片４０を互いに連結する連結片４１とを備える。各挟持片４０の長手方向における中央部には、それぞれ左右外側に向かって断面円弧状に湾曲する保持部４０Ａを設けている。これら保持部４０Ａの間で後述する接地端子５２Ａの端子頭部５２Ｂを挟持することで、接地端子５２Ａを機械的に保持し、且つ接地端子５２Ａと導電板４とを電気的に接続する。
【００２３】
連結片４１の上端部には、上方に向かうにしたがって後方へと突出する矩形板状の第１接触片４２を一体に形成している。第１接触片４２は後向きに付勢されており、図２（ｂ）に示すように、ボディ３の通孔３３を介して外部へ突出する。また、第１接触片４２の上端部には、平面視半円形状の当接部４２Ａを設けている。当接部４２Ａは、後述する接地用ねじ６３の軸部６３Ａの外周面と当接する。このため、第１接触片４２の上端部が平坦な形状の場合と比較して、第１接触片４２が軸部６３Ａに圧接し易くなっている。
【００２４】
ＬＥＤランプ５は、図３（ａ）に示すように、直管形のランプ本体５０から成る。ランプ本体５０の長手方向における両端には、それぞれ給電用口金５１とアース用口金５２とを設けている。給電用口金５１には、１対の板状の給電端子５１Ａを突設している。また、アース用口金５２には、丸棒状の接地端子５２Ａを突設している。この接地端子５２Ａの先端部には、図３（ｂ）に示すように、平面視長円形状の端子頭部５２Ｂを一体に形成している。
【００２５】
ここで、ＬＥＤランプ５のアース用口金５２をアース用ソケット１に取り付ける方法について説明する。先ず、端子頭部５２Ｂの長手方向が上下方向と沿う状態で、アース用口金５２の接地端子５２Ａをアース用ソケット１のピン挿入孔２３に挿入する。そして、端子頭部５２Ｂを時計回り又は反時計回りに回動することで、端子頭部５２Ｂの長手方向の両端部が導電板４の各保持部４０Ａの間で挟持される。これにより、アース用口金５２をアース用ソケット１に取り付けることができる。なお、ＬＥＤランプ５の給電用口金５１を給電用ソケットに取り付ける方法については従来周知であるので、ここでは説明を省略する。
【００２６】
ランプ本体５０の内部には、図示しないが複数のＬＥＤを実装した基板を収納しており、これらＬＥＤのアノード及びカソードと、１対の給電端子５１Ａとを電気的に接続している。したがって、給電用口金５１を給電用ソケットに取り付け、各給電端子５１Ａを介して各ＬＥＤに点灯電力を供給することで、ＬＥＤランプ５を点灯することができる。なお、本実施形態ではＬＥＤランプ５を採用しているが、アース用口金５２を有するランプであれば他のランプであってもよい。
【００２７】
器具本体６は、ＬＥＤランプ５の長手方向に沿って長尺な金属製の箱体から成る。器具本体６の表面には、防錆用の塗装を施している。器具本体６の長手方向における両端部には、図１（ａ）に示すように、それぞれ給電用のソケット（図示せず）とアース用ソケット１とを取り付けるための取付部６０を設けている。なお、図１（ａ）では、各取付部６０のうちアース用ソケット１の取付部６０のみを図示している。取付部６０は、図１（ａ）に示すように、器具本体６を構成する金属板を折り曲げて形成し、その前面から後面にかけて切り欠いて形成した取付孔６１を有する。この取付孔６１の内周縁には、アース用ソケット１を保持する１対の取付片６２を一体に形成している。各取付片６２は、取付孔６１の内周縁の左右両辺から互いに近付く向きに突出する。
【００２８】
取付部６０下面における取付孔６１の後側の部位には、例えばタッピンねじ等の接地用ねじ６３をねじ止めするための挿通孔（図示せず）を貫設しており、この挿通孔に接地用ねじ６３をねじ止めしている。なお、接地用ねじ６３は、その頭部６３Ｂが取付部６０の下側に位置するようにねじ止めしている。このように、接地用ねじ６３を挿通孔にねじ止めすることにより、挿通孔の内周縁の塗装が剥がれ、接地用ねじ６３の軸部６３Ａが挿通孔の内周縁に接触導通する。したがって、接地用ねじ６３は器具本体６に電気的に接続されている。
【００２９】
以下、アース用ソケット１を器具本体６に取り付ける方法、及び導電板４を器具本体６に電気的に接続する方法について説明する。先ず、アース用ソケット１の各係止片２４とフランジ部２２との間に取付部６０の各取付片６２が挿入されるように位置を合わせ、アース用ソケット１を後方にスライドする。これにより、各係止片２４とフランジ部２２との間で各取付片６２を挟持するため、アース用ソケット１を取付部６０に取り付けることができる（図１（ｂ）参照）。
【００３０】
ここで、アース用ソケット１を後方にスライドする際に、図１（ｃ）に示すように、ボディ３の通孔３３を介して外部に露出する第１接触片４２が、接地用ねじ６３の軸部６３Ａに接触する。第１接触片４２は後向きに付勢されているため、この付勢力により第１接触片４２が軸部６３Ａに圧接する。したがって、第１接触片４２及び接地用ねじ６３を介して、導電板４を器具本体６に電気的に接続し、接地することができる。
【００３１】
上述のように、本実施形態では、アース用ソケット１を器具本体６の取付部６０に取り付ける際に、アース用ソケット１から露出した第１接触片４２が、器具本体６と電気的に接続された接地用ねじ６３に圧接する。したがって、本実施形態では、アース用ソケット１を器具本体６の取付部６０に取り付けるだけで、リード線を用いることなくアース用ソケット１の導電板４（導電部材）を器具本体６に容易に電気的に接続することができる。また、本実施形態では、接地用ねじ６３を器具本体６にねじ止めするだけで器具本体６の表面に施された塗装を剥がすことができるので、塗装を剥がす作業を別途行う必要がない。
【００３２】
（実施形態２）
以下、本発明に係る照明器具の実施形態２について図面を用いて説明する。但し、本実施形態の基本的な構成は実施形態１と共通であるので、共通する部位には同一の番号を付して説明を省略する。本実施形態は、図４（ａ），（ｂ）に示すように、接地用ねじ６３を複数（図示では２つ）設けたことに特徴がある。なお、本実施形態では、第１接触片４２を後方に露出させる必要がないため、ボディ３の主部３０に通孔３３を設けていない。
【００３３】
取付部６０の各取付片６２には、それぞれ挿通孔（図示せず）を貫設しており、これら挿通孔に接地用ねじ６３をそれぞれねじ止めしている（図４（ａ）参照）。なお、各接地用ねじ６３は、その頭部６３Ｂが取付部６０の下側に位置するようにねじ止めしている。このように、各接地用ねじ６３を各挿通孔にねじ止めすることにより、各挿通孔の内周縁の塗装が剥がれ、各接地用ねじ６３の各軸部６３Ａが挿通孔の内周縁に接触導通する。したがって、各接地用ねじ６３は器具本体６に電気的に接続されている。
【００３４】
導電板４の各挟持片４０の上端部には、図５（ａ）に示すように、それぞれ左右方向における外向きに突出する第２接触片４３を一体に形成している。なお、第１接触片４２は本実施形態では不要であるため、導電板４に第１接触片４２は設けていない。各第２接触片４３は、左右外向きに付勢されており、図５（ｂ）に示すように、フランジ部２２の左右両側壁を切り欠いて形成した切り欠き２２Ａを介してアース用ソケット１の外部に露出する。
【００３５】
以下、導電板４を器具本体６に電気的に接続する方法について説明する。なお、アース用ソケット１を器具本体６に取り付ける方法については実施形態１と同じなので、ここでは説明を省略する。
【００３６】
アース用ソケット１を取付部６０に取り付けるべく後方にスライドする際に、図４（ｂ）に示すように、カバー２の切り欠き２２Ａを介して外部に露出する各第２接触片４３が、各接地用ねじ６３の軸部６３Ａに接触する。各第２接触片４３は何れも左右外向きに付勢されているため、この付勢力により第２接触片４３が各軸部６３Ａに圧接する。したがって、各第２接触片４３及び各接地用ねじ６３を介して、導電板４を器具本体６に電気的に接続し、接地することができる。
【００３７】
上述のように、本実施形態では、アース用ソケット１を器具本体６の取付部６０に取り付ける際に、アース用ソケット１から露出した２つの第２接触片４３が、器具本体６と電気的に接続された２つの接地用ねじ６３にそれぞれ圧接する。したがって、本実施形態では、実施形態１と比較して、より確実に導電板４を器具本体６に電気的に接続して接地することができる。
【００３８】
ところで、アース用ソケット１を取付部６０に取り付けるべく後方にスライドした際に、各第２接触片４３の角部が各接地用ねじ６３の軸部６３Ａに引っ掛かり、アース用ソケット１のスライドを妨げる虞がある。そこで、本実施形態では、図５（ａ）に示すように、各第２接触片４３の先端部に、後方から前方に向かうにつれて左右方向に広がるテーパ４３Ａを設けている。したがって、アース用ソケット１を後方にスライドした際に、各接地用ねじ６３の軸部６３Ａが各第２接触片４３のテーパ４３Ａに案内されるため、アース用ソケット１のスライドが妨げられることがない。
【００３９】
（実施形態３）
以下、本発明に係る照明器具の実施形態３について図面を用いて説明する。但し、本実施形態の基本的な構成は実施形態１と共通であるので、共通する部位には同一の番号を付して説明を省略する。本実施形態は、図６（ａ），（ｂ）に示すように、取付部６０の取付孔６１後端に上向きに突出する第１立片６４を一体に形成し、この第１立片６４に接地用ねじ６３をねじ止めしている。すなわち、本実施形態では、接地用ねじ６３を取付部６０の内側に配置することに特徴がある。なお、接地用ねじ６３は、その頭部６３Ｂが第１立片６４の前側に位置するようにねじ止めしている。
【００４０】
導電板４の連結片４１の上端部には、上向きに突出する矩形板状の第３接触片４４を一体に形成している。なお、第１接触片４２は本実施形態では不要であるため、導電板４に第１接触片４２は設けていない。各第３接触片４４は前後方向に沿って撓み自在であり、図７（ｂ）に示すように、ボディ３の通孔３３を介してアース用ソケット１の外部に露出する。
【００４１】
以下、導電板４を器具本体６に電気的に接続する方法について説明する。なお、アース用ソケット１を器具本体６に取り付ける方法については実施形態１と同じなので、ここでは説明を省略する。
【００４２】
アース用ソケット１を取付部６０に取り付けるべく後方にスライドする際に、図６（ｃ）に示すように、ボディ３の通孔３３を介して外部に露出する第３接触片４４が接地用ねじ６３の頭部６３Ｂに接触する。このとき、第３接触片４４は、頭部６３Ｂと接触することで前方へと撓む。そして、第３接触片４４は、後方へと復帰する付勢力により頭部６３Ｂに圧接する。したがって、第３接触片４４及び接地用ねじ６３を介して、導電板４を器具本体６に電気的に接続し、接地することができる。
【００４３】
上述のように、本実施形態では、アース用ソケット１を器具本体６の取付部６０に取り付ける際に、アース用ソケット１から露出した第３接触片４４が、器具本体６と電気的に接続された接地用ねじ６３に圧接する。したがって、本実施形態では、実施形態１と同様に、リード線を用いることなくアース用ソケット１の導電板４を器具本体６に容易に電気的に接続することができる。
【００４４】
また、本実施形態では、接地用ねじ６３を第１立片６４にねじ止めすることにより取付部６０の内側に配置している。このため、アース用ソケット１を取付部６０に取り付けた際に、接地用ねじ６３がアース用ソケット１により覆い隠されるようになっている。したがって、本実施形態では、人が接地用ねじ６３を視認することがないので、接地用ねじ６３を器具本体６に取り付けることにより見栄えが損なわれるのを防ぐことができる。
【００４５】
なお、接地用ねじ６３が取付部６０の外側に位置する場合でも、人が接地用ねじ６３を視認することがないように構成することが可能である。以下、この構成について図面を用いて説明する。この構成では、図８（ａ），（ｂ）に示すように、取付部６０の取付孔６１後端に前向きに突出する第２立片６５を一体に形成し、この第２立片６５に接地用ねじ６３をねじ止めしている。なお、接地用ねじ６３は、その頭部６３が第２立片６５の下側に位置するようにねじ止めしている。
【００４６】
導電板４の連結片４１の上端部には、上方に向かうにつれて前方へと突出する第４接触片４５を一体に形成している。第４接触片４５は上向きに付勢されている。第４接触片４５は、図９（ｂ）に示すように、フランジ部２２に下向きに窪む形で設けられた平面視半円形状の凹部２６を介してアース用ソケット１の外部に露出する。
【００４７】
以下、導電板４を器具本体６に電気的に接続する方法について説明する。なお、アース用ソケット１を器具本体６に取り付ける方法については実施形態１と同じなので、ここでは説明を省略する。
【００４８】
アース用ソケット１を取付部６０に取り付けるべく後方にスライドすると、接地用ねじ６３の頭部６３Ｂはボディ３の通孔３３を介してフランジ部２２の凹部２６に案内される。そして、凹部２６を介して外部に露出する第４接触片４５が接地用ねじ６３の頭部６３Ｂに接触する（図８（ｂ）参照）。このとき、第４接触片４５は、頭部６３Ｂと接触することで下方へと撓む。そして、第４接触片４５は、上方へと復帰する付勢力により頭部６３Ｂに圧接する。したがって、第４接触片４５及び接地用ねじ６３を介して、導電板４を器具本体６に電気的に接続し、接地することができる。
【００４９】
この構成では、取付部６０の下側に露出する接地用ねじ６３の頭部６３Ｂをアース用ソケット１で覆い隠すことができる。したがって、人が接地用ねじ６３を視認することがないので、接地用ねじ６３を器具本体６に取り付けることにより見栄えが損なわれるのを防ぐことができる。
【符号の説明】
【００５０】
１  アース用ソケット
４  導電板（導電部材）
４２  第１接触片（接触片）
５  ＬＥＤランプ（ランプ）
５２  アース用口金
５２Ａ  接地端子
６  器具本体
６０  取付部
６３  接地用ねじ
【図１】
2013254719.tif 000003
【図２】
2013254719.tif 000004
【図３】
2013254719.tif 000005
【図４】
2013254719.tif 000006
【図５】
2013254719.tif 000007
【図６】
2013254719.tif 000008
【図７】
2013254719.tif 000009
【図８】
2013254719.tif 000010
【図９】
2013254719.tif 000011
【図１０】
2013254719.tif 000012